(57)【要約】【課題】ボルト・ナットの緩みを確実に防止する。【解決手段】バッテリー端子１０は、第１突出部１３の外側面にワッシャ６０を挟んでナット９０があてがわれ、ワッシャ６０及び両突出部１３、１４を貫通するボルト８０の軸部８１にナット９０が締め付けられることにより、両突出部１３、１４が互いに接近するとともに、締め付け部１２が縮径されてバッテリーポスト５０に固定される。ワッシャ６０は、平板材を折り曲げた形状とされていて、締め付け時には第１突出部１３とナット９０との間に挟持されることで両者にばね力を付与しつつ弾性的に拡開させられる。第１突出部１３の外側面には、締め付け時にワッシャ６０の端部とその拡開方向で当接可能な当て止め部が設けられている。【選択図】図４
2013008588.tif 000002
【特許請求の範囲】
【請求項１】
導電性の金属板材からなり、
バッテリーポストの周りを取り囲む弧状の締め付け部と、
前記締め付け部の両端から互いに対向して突出する一対の突出部と、
前記両突出部のうち、少なくとも一方の突出部の外側面に当接して配置されるワッシャとを備え、
前記一方の突出部の外側に前記ワッシャを挟んでナット又はボルトの頭部があてがわれ、前記ワッシャと前記両突出部とを貫通する前記ボルトの軸部に前記ナットが締め付けられることにより、前記両突出部が互いに接近するとともに、前記締め付け部が縮径されて前記バッテリーポストに固定されるバッテリー端子であって、
前記ワッシャは、屈曲部を介して屈曲する形状の板材からなり、前記締め付け時には前記一方の突出部と前記ナット又はボルトの頭部との間に挟持されることで両者にばね力を付与しつつ弾性的に拡開させられ、
前記一方の突出部の外側面には、前記締め付け時に前記ワッシャの端部とその拡開方向で当接可能な当て止め部が設けられていることを特徴とするバッテリー端子。
【請求項２】
前記ワッシャが平面視矩形でかつ断面山型に屈曲する形状とされ、前記当て止め部が前記ワッシャの両裾の端部と当接可能なように対をなして設けられていることを特徴とする請求項１記載のバッテリー端子。
【請求項３】
前記締め付け前の状態では、前記ワッシャの端部と前記当て止め部との間に隙間があけられていることを特徴とする請求項１又は２記載のバッテリー端子。
【発明の詳細な説明】
【技術分野】
【０００１】
本発明は、バッテリー端子に関する。
【背景技術】
【０００２】
特許文献１には、従来のバッテリー端子が開示されている。このものは、導電性の金属板材からなり、バッテリーポストの周りを取り囲む弧状の締め付け部と、締め付け部の両端から互いに対向して突出する一対の突出部とを備えている。両突出部には貫通孔が同軸で形成されている。両突出部のうち一方の突出部の外側面にはナットがあてがわれ、両貫通孔に挿入されたボルトの軸部にナットが締め付けられることにより、両突出部が互いに接近し、それに伴い締め付け部が縮径されてバッテリーポストに固定されるようになっている。
【先行技術文献】
【特許文献】
【０００３】
【特許文献１】特開２０１０−３３７８３号公報
【発明の概要】
【発明が解決しようとする課題】
【０００４】
ところで、上記従来のバッテリー端子において、ボルト・ナットの緩みを防止するために、ナットと突出部との間にワッシャを介在させることも可能である。この場合、例えば、ワッシャを断面山型に屈曲する形状となし、ナットと突出部との間にワッシャが拡開状態で挟持されるようにすると、ワッシャの弾性反力をより高めることができ、緩み止めの効果をより確実に奏することができる。しかるにこの場合、仮に、ワッシャがナットと突出部との間にフラットな状態になるまで拡開されると、ワッシャの弾性反力が減退して、緩み止めの効果が持続できないおそれがある。
【０００５】
本発明は上記のような事情に基づいて完成されたものであって、ボルト・ナットの緩みを確実に防止することを目的とする。
【課題を解決するための手段】
【０００６】
上記の目的を達成するための手段として、請求項１の発明は、導電性の金属板材からなり、バッテリーポストの周りを取り囲む弧状の締め付け部と、前記締め付け部の両端から互いに対向して突出する一対の突出部と、前記両突出部のうち、少なくとも一方の突出部の外側面に当接して配置されるワッシャとを備え、前記一方の突出部の外側に前記ワッシャを挟んでナット又はボルトの頭部があてがわれ、前記ワッシャと前記両突出部とを貫通する前記ボルトの軸部に前記ナットが締め付けられることにより、前記両突出部が互いに接近するとともに、前記締め付け部が縮径されて前記バッテリーポストに固定されるバッテリー端子であって、前記ワッシャは、屈曲部を介して屈曲する形状の板材からなり、前記締め付け時には前記一方の突出部と前記ナット又はボルトの頭部との間に挟持されることで両者にばね力を付与しつつ弾性的に拡開させられ、前記一方の突出部の外側面には、前記締め付け時に前記ワッシャの端部とその拡開方向で当接可能な当て止め部が設けられているところに特徴を有する。
【０００７】
請求項２の発明は、請求項１に記載のものにおいて、前記ワッシャが平面視矩形でかつ断面山型に屈曲する形状とされ、前記当て止め部が前記ワッシャの両裾の端部と当接可能なように対をなして設けられているところに特徴を有する。
【０００８】
請求項３の発明は、請求項１又は２に記載のものにおいて、前記締め付け前の状態では、前記ワッシャの端部と前記当て止め部との間に隙間があけられているところに特徴を有する。
【発明の効果】
【０００９】
＜請求項１の発明＞
ナットがボルトに締め付けられると、ワッシャが一方の突出部とナット又はボルトの頭部との間に拡開状態で挟持されるため、ボルト・ナットの緩みが防止される。この場合に、ワッシャの端部がその拡開方向で当て止め部と当接することにより、ワッシャのそれ以上の拡開動作が規制されるため、ワッシャのばね力が減退するのが防止され、ひいては緩み止めの効果が減退するのが防止される。
【００１０】
＜請求項２の発明＞
ワッシャが平面視矩形でかつ断面山型に屈曲する形状とされ、当て止め部がワッシャの両裾の端部と当接可能なように対をなして設けられているため、一方の突出部とナット又はボルトの頭部とにワッシャのばね力がバランス良く作用することになる。その結果、ナットによる締め付け動作の円滑性が確保される。
【００１１】
＜請求項３の発明＞
締め付け前の状態ではワッシャの端部と当て止め部との間に隙間があけられているため、締め付けの初期段階で操作力が急上昇するのが回避される。
【図面の簡単な説明】
【００１２】
【図１】本発明の実施形態１に係るバッテリー端子の締め付け前の平面図である。
【図２】バッテリー端子の締め付け前の正面図である。
【図３】バッテリー端子の締め付け後の平面図である。
【図４】バッテリー端子の締め付け後の正面図である。
【図５】ワッシャの平面図である。
【発明を実施するための形態】
【００１３】
＜実施形態１＞
本発明の実施形態１を図１ないし図５によって説明する。本実施形態に係るバッテリー端子１０は、導電性の金属板材からなり、端子本体１１とワッシャ６０とを備えている。また、バッテリー端子１０には、ボルト８０及びナット９０が取り付けられる。ボルト８０は六角ボルトからなり、ナット９０は六角ナットからなる。
【００１４】
端子本体１１は、金属板材を曲げ加工して一体に成形され、図１に示すように、電線（図示せず）が接続される電線接続部（図示せず）と、バッテリーポスト５０に取り付けられる締め付け部１２と、ボルト８０が貫通して装着される一対の突出部１３、１４とからなる。なお、バッテリーポスト５０は、図２に示すように、バッテリー本体１００の上面から突出する円錐台形状をなしている。
【００１５】
締め付け部１２は、図１に示すように、バッテリーポスト５０を包囲するように円弧状に回曲する形状とされ、図４に示すように、バッテリーポスト５０と対応する円錐台形をなしている。締め付け部１２は、縮径変形可能とされ、図１及び図３に示すように、バッテリーポスト５０に遊嵌された状態から縮径されることにより、バッテリーポスト５０に固定される。
【００１６】
両突出部１３、１４は、締め付け部１２の周方向の両端（両端開口縁）から互いに対向して突出する平板状の形態とされている。そして、両突出部１３、１４は、締め付け部１２と一体に形成されている。このため、両突出部１３、１４が互いに接近すると、締め付け部１２が縮径変形されるようになっている。本実施形態の場合、両突出部１３、１４は、上下方向にほぼ沿って配置されている。
【００１７】
また、両突出部１３、１４には、図２に示すように、板厚方向に同軸で貫通する貫通孔１５が形成されている。貫通孔１５には図示向かって左側からボルト８０の軸部８１が挿入されるようになっている。そして、貫通孔１５は、両突出部１３、１４に円形に開口する形態とされ、ボルト８０の軸部８１と対応する開口径を有している。
【００１８】
図２に示すように、両突出部１３、１４のうち、一方の突出部は、その外側面（両突出部１３、１４が互いに向き合う面（対向面）とは反対側の面）にワッシャ６０を介してナット９０があてがわれる第１突出部１３とされ、他方の突出部は、その外側面にボルト８０の頭部８２があてがわれる第２突出部１４とされている。図２及び図４に示すように、両突出部１３、１４とワッシャ６０とを貫通したボルト８０の軸部８１にナット９０が締め付けられると、ナット９０と頭部８２とに押圧されて第１、第２突出部１３、１４が互いに接近するようになっている。
【００１９】
第１突出部１３の下端部には、図２に示すように、第２突出部１４の内側面（対向面）に向けて突出する第１ストッパ１６が形成されている。第２突出部１４の上端部には、第１突出部１３の内側面（対向面）に向けて突出する第２ストッパ１７が形成されている。第１、第２ストッパ１６、１７は、第１、第２突出部１３、１４の突出方向先端部に起立する突片部分を内側へほぼ直角に折り曲げた形状とされている。両突出部１３、１４が過度に接近しようとしたときに、第１ストッパ１６が第２突出部１４の対向面（内側面）に当接し、かつ第２ストッパ１７が第１突出部１３の対向面（内側面）に当接して、それ以上の過度締めが規制されるようになっている。
【００２０】
第１突出部１３の上下両端部には、図１及び図２に示すように、第２突出部１４から離れる向きとなる外側に突出する一対の第１当て止め部２１が形成されている。また、第２突出部１４の上下両端部には、第１突出部１３から離れる向きとなる外側に突出する一対の第２当て止め部２２が形成されている。第１、第２当て止め部２１、２２は、第１、第２突出部１３、１４の突出方向基端部に起立する突片部分を外側へほぼ直角に折り曲げた形状とされ、かつ、第１、第２突出部１３、１４の突出方向基端部から締め付け部１２の両端部に跨って屈曲しつつ延びる形状とされている。また、第１、第２当て止め部２１、２２は、相互の中間位置を境としてほぼ対称とされている。
【００２１】
ここで、図２に示すように、第１突出部１３の外側面にワッシャ６０が当接した状態では、上下一対の第１当て止め部２１にワッシャ６０の両端部が対向して配置される。一方、第２突出部１４の外側面にボルト８０の頭部８２が当接した状態では、上下一対の第２当て止め部２２に頭部８２の端面が対向して配置される。なお、第１、第２当て止め部２１、２２と第１、第２ストッパ１６、１７との間には隙間があけられている。
【００２２】
続いてワッシャ６０について説明すると、ワッシャ６０は、金属製の平板材からなり、図５に示すように、全体として、平面視矩形状、詳しくは平面視正方形状をなしている。ワッシャ６０の中央部には、ボルト８０の軸部８１が挿入される通し孔６１が形成されている。通し孔６１は、ワッシャ６０に円形に開口する形態とされ、ワッシャ６０が第１突出部１３の外側面に装着されたときに、貫通孔１５に連通して配置される。
【００２３】
そして、ワッシャ６０の上下方向中央部には、幅方向に沿って延びる屈曲部６２が形成されている。ワッシャ６０は、図２に示すように、屈曲部６２を頂部として上半部及び下半部がそれぞれ上下方向に対して傾斜する断面山型の形状とされている。かかるワッシャ６０は、その屈曲形状を保つ自然状態（図２を参照）と、屈曲部６２が押圧されて高さ方向に沿ってほぼフラットな形状となる拡開状態（図４を参照）とに、屈曲部６２を境として弾性的に変形可能とされている。自然状態では、ワッシャ６０の上下両端部が、上下一対の第１当て止め部２１との間に隙間をあけて配置され、拡開状態では、ワッシャ６０の上下両端部が、上下一対の第１当て止め部２１と当接した状態になる。
【００２４】
次に、本実施形態に係るバッテリー端子１０の作用を説明する。
バッテリー端子１０の組み立てに際し、ワッシャ６０が第１突出部１３の外側面にあてがわれ、その状態で、ボルト８０の軸部８１が第２突出部１４側から貫通孔１５及び通し孔６１に貫通させられる。そして、図１及び図２に示すように、ボルト８０の軸部８１の先端部にナット９０がねじ込まれる。このとき、ワッシャ６０は自然状態にあって第１当て止め部２１とは非接触状態に保たれ、かつ、第１、第２突出部１３、１４はその基端側から先端側（突出端側）にかけて互いに拡開された形状となる。そして、締め付け部１２は、バッテリーポスト５０に外嵌される。
【００２５】
続いて、ナット９０がボルト８０の軸部８１周りに回転させられる。ナット９０の回転が進むと、第１突出部１３がナット９０で押圧されて第２突出部１４側に変位するとともに、第２突出部１４がボルト８０の頭部８２で押圧されて第１突出部１３側に変位する。こうして第１、第２突出部１３、１４が互いに接近し、それに伴って締め付け部１２が縮径変形させられる。このとき、頭部８２は、第２当て止め部２２に当接することにより、ナット９０に連れ回りするのが回避される。
【００２６】
また、ボルト８０の軸部８１にナット９０が締め付けられると、屈曲部６２がナット９０で押圧されてワッシャ６０が拡開状態となり、ナット９０と第１突出部１３との間にワッシャ６０が弾性的に挟持させられる。さらにナット９０の回転が進むと、ワッシャ６０の上下両端部が上下一対の第１当て止め部２１に内側から当接し、ワッシャ６０のそれ以上の拡開動作が停止させられる。そして、図３及び図４に示すように、第１、第２突出部１３、１４がほぼ平行に配置される位置に至ると、締め付け部１２が適宜寸法に縮径されてバッテリーポストの外周面に密着させられる。これにより、バッテリー端子１０がバッテリーポスト５０の導通可能に接続された状態で固定される。
【００２７】
上記のように、バッテリー端子１０がバッテリーポスト５０に固定された状態では、ワッシャ６０がナット９０と第１突出部１３との間に拡開状態に弾性変形されるものの、ワッシャ６０の上下両端部が上下一対の第１当て止め部２１に当て止めされるため、ナット９０と第１突出部１３とにはワッシャ６０から大きな弾性反力（ばね力）が作用することになる。したがって、ワッシャ６０がナット９０と第１突出部１３とに緊密に当接し、ナット９０がボルト８０の軸部８１に強固に螺着される。
【００２８】
以上説明したように、本実施形態によれば、ナット９０がボルト８０に締め付けられると、ワッシャ６０が第１突出部１３とナット９０との間に拡開状態で挟持されるため、ナット９０の緩みが防止される。この場合に、ワッシャ６０の端部がその拡開方向で第１当て止め部２１と当接することにより、ワッシャ６０のそれ以上の拡開動作が規制されるため、ワッシャ６０の弾性反力が減退するのが防止され、ひいては緩み止めの効果が減退するのが防止される。
【００２９】
また、ワッシャ６０が平面視矩形でかつ断面山型に屈曲する形状とされ、第１当て止め部２１がワッシャ６０の両裾の端部と当接可能なように対をなして設けられているため、第１突出部１３とナット９０とにワッシャ６０の弾性反力がバランス良く作用することになる。その結果、ナット９０による締め付け動作の円滑性が確保される。しかも、締め付け前の状態ではワッシャ６０の端部と第１当て止め部２１との間に隙間があけられているため、締め付けの初期段階で操作力が急上昇するのが回避される。
【００３０】
＜他の実施形態＞
本発明は上記記述及び図面によって説明した実施形態に限定されるものではなく、例えば次のような実施形態も本発明の技術的範囲に含まれる。
（１）ワッシャがボルトの頭部と第２突出部との間に弾性的に挟持されるものであってもよい。また、この場合においても、ナットと第１突出部との間にワッシャが弾性的に挟持されるものであってもよい。
（２）第１、第２突出部が上下方向に対して斜めに配置されるものであってもよい。
（３）屈曲部が高さ方向に沿って形成され、ワッシャが屈曲部を介して幅方向に拡開可能とされるものであってもよい。
（４）第１当て止め部が第１突出部の突出方向の全長に亘って形成されるものであってもよい。
【符号の説明】
【００３１】
１０…バッテリー端子
１２…締め付け部
１３…第１突出部（一方の突出部）
１４…第２突出部（他方の突出部）
１５…貫通孔
２１…第１当て止め部（当て止め部）
６０…ワッシャ
６１…通し孔
６２…屈曲部
８０…ボルト
８１…軸部
８２…頭部
９０…ナット
【図１】
2013008588.tif 000003
【図２】
2013008588.tif 000004
【図３】
2013008588.tif 000005
【図４】
2013008588.tif 000006
【図５】
2013008588.tif 000007